(57)【要約】【課題】Station Check コマンドを導入してコストダウンを図りつつリストの更新精度の劣化を抑えるのに好適な放送受信機を提供すること。【解決手段】放送受信機を、チャンネルリストを構成する周波数チャネルのチャンネル情報を記憶する記憶手段と、チャンネル情報に基づいて所定の表示画面にチャンネルリストを表示する表示制御手段と、受信する周波数チャネルを間欠的に変化させて各周波数チャネルの電界強度を検出する電界強度検出手段と、検出された電界強度に基づいてチャンネルリストを更新する更新手段とで構成する。この更新手段は、検出された電界強度に基づいて周波数チャネルの受信が困難か否かを判定し、チャンネルリストを構成するチャンネル情報のうち、受信が困難と判定された連続回数が第１の所定回数に達した周波数チャネルに対応するチャンネル情報の表示をチャンネルリストから消去する。【選択図】図４
2014017667.tif 000002
【特許請求の範囲】
【請求項１】
チャンネルリストを構成する周波数チャネルのチャンネル情報を記憶する記憶手段と、
前記記憶手段に記憶されたチャンネル情報に基づいて所定の表示画面に前記チャンネルリストを表示する表示制御手段と、
受信する周波数チャネルを間欠的に変化させて各周波数チャネルの電界強度を検出する電界強度検出手段と、
前記電界強度検出手段により検出された電界強度に基づいて前記チャンネルリストを更新する更新手段と、
を備え、
前記更新手段は、
前記電界強度検出手段により検出された電界強度に基づいて周波数チャネルの受信が困難か否かを判定し、
前記チャンネルリストを構成するチャンネル情報のうち、前記受信が困難と判定された連続回数が第１の所定回数に達した周波数チャネルに対応するチャンネル情報の表示を前記チャンネルリストから消去することを特徴とする、放送受信機。
【請求項２】
前記更新手段は、
前記電界強度検出手段により検出された電界強度に基づいて周波数チャネルから前記チャンネル情報を取得するのが困難か否かを判定し、
前記チャンネルリストを構成するチャンネル情報のうち、前記取得が困難と判定された連続回数が第２の所定回数に達した周波数チャネルに対応するチャンネル情報を前記記憶手段から削除することを特徴とする、請求項１に記載の放送受信機。
【請求項３】
前記更新手段は、
前記困難でないと判定したとき、該周波数チャネルについて、前記困難と判定された連続回数をリセットすることを特徴とする、請求項１又は請求項２に記載の放送受信機。
【請求項４】
前記電界強度検出手段により検出された電界強度を記憶する電界強度記憶手段
を備え、
前記更新手段は、
前記電界強度検出手段により検出された電界強度に基づいて前記チャンネルリストにリストするチャンネル情報を決定することを特徴とする、請求項１から請求項３の何れか一項に記載の放送受信機。
【請求項５】
前記電界強度記憶手段は、
前記更新手段により前記受信が困難と判定された周波数チャネルの電界強度を所定の値で除算した上で記憶し、
前記更新手段は、
前記放送局リストにおいて、前記電界強度記憶手段により記憶された電界強度が高い順に前記チャンネル情報をソートすることを特徴とする、請求項４に記載の放送受信機。
【請求項６】
受信中の周波数チャネルの放送局に対応する代替局をサーチする代替局サーチ手段と、
前記放送局に対応する代替局の数に応じて、前記電界強度検出手段による電界強度の検出が予定される、該代替局以外の周波数チャネルの数を決定する決定手段と、
を備え、
前記電界強度検出手段は、
前記代替局サーチ手段により受信可能な代替局がサーチされない場合に、前記決定手段により決定された数の、該代替局以外の周波数チャネルについて、電界強度の検出を行い、
前記更新手段は、
前記電界強度検出手段により検出された、代替局以外の周波数チャネルの電界強度に基づいて、前記チャンネルリストを更新することを特徴とする、請求項１から請求項５の何れか一項に記載の放送受信機。
【請求項７】
移動体に搭載されたことを特徴とする、請求項１から請求項６の何れか一項に記載の放送受信機。
【請求項８】
チャンネルリストを構成する周波数チャネルのチャンネル情報を所定の記憶媒体に記憶する記憶ステップと、
前記記憶媒体に記憶されたチャンネル情報に基づいて所定の表示画面に前記チャンネルリストを表示する表示制御ステップと、
受信する周波数チャネルを間欠的に変化させて各周波数チャネルの電界強度を検出する電界強度検出ステップと、
前記電界強度検出ステップにて検出された電界強度に基づいて前記チャンネルリストを更新する更新ステップであって、該電界強度に基づいて周波数チャネルの受信が困難か否かを判定し、該チャンネルリストを構成するチャンネル情報のうち、前記受信が困難と判定された連続回数が第１の所定回数に達した周波数チャネルに対応するチャンネル情報の表示を前記チャンネルリストから消去する、更新ステップと、
を含む、放送局リスト管理方法。
【請求項９】
前記更新ステップにて、
前記電界強度検出ステップにて検出された電界強度に基づいて周波数チャネルから前記チャンネル情報を取得するのが困難か否かを判定し、
前記チャンネルリストを構成するチャンネル情報のうち、前記取得が困難と判定された連続回数が第２の所定回数に達した周波数チャネルに対応するチャンネル情報を前記記憶媒体から削除する、請求項８に記載の放送局リスト管理方法。
【発明の詳細な説明】
【技術分野】
【０００１】
本発明は、チャンネルリストを管理可能な放送受信機、及び放送局リスト管理方法に関する。
【背景技術】
【０００２】
附帯データが多重放送された放送信号を受信し、受信した附帯データを解釈して放送局リストを作成し表示画面に表示する放送受信機が知られている。この種の放送受信機の具体的構成が例えば特許文献１に記載されている。
【０００３】
特許文献１に記載の放送受信機は、第１と第２のチューナを備えており、視聴すべき放送局を第１のチューナで受信しつつ、そのバックグランドで第２のチューナを用いたチャンネルサーチを行うことにより、放送番組の再生を行いながら受信可能な放送局リストを更新することができる。すなわち、特許文献１に記載の放送受信機は、チューナを２つ搭載することにより、放送番組の再生処理と放送局リストの更新処理とを並行に実施することができ、一方の処理の実行時に他方の処理の実行を中断する必要がない。
【先行技術文献】
【特許文献】
【０００４】
【特許文献１】特開２０１１−３５８８３号公報
【発明の概要】
【発明が解決しようとする課題】
【０００５】
しかし、特許文献１に記載の構成では、チューナを２つ搭載したことによるコストアップの問題が避けられない。例えば、廉価版の放送受信機ではコスト面での制約が厳しいため、チューナを２つ搭載する構成を安易には採用できない。そこで、再生中又は録画中の番組の受信を極僅かな期間（例えば５ｍｓ程度の極僅かな期間）だけ一時的にミュートし、指定した他の周波数チャネルを受信してその受信電波の電界強度やノイズレベルを検出し、検出結果に基づいて放送局リストを更新するための機能が知られている。この機能（以下、「Station Check コマンド」と記す。）を用いて放送局リスト（より正確には周波数チャネルのリスト）の更新を行うと、放送番組の再生等が各周波数チャネルのサーチ期間（上記５ｍｓ）に応じて断続的に途絶えるが、各サーチ期間が極めて短いため、番組の再生等を中断してサーチ処理を行っていることがユーザに知覚され難い。そのため、放送番組の再生処理等と放送局リストの更新処理とが並行に実施されているとみなすことができる。
【０００６】
ところが、Station Check コマンドは、受信電波の電界強度の検出結果にだけ基づいて（受信データのデコードまで行わずに）放送局リストの更新を行うため、放送電波の受信環境に依存してリスト（受信可能な周波数チャネルのリスト）の更新精度が劣化するという欠点を抱えている。そのため、例えば、放送電波の受信品質が保証されていない環境下で使用される移動体向けの放送受信機での利用には不向きな面を持つ。その一方で、放送受信機に対するコストダウンの要請も恒常的に存在する。そのため、Station Check コマンドを導入してコストダウンを図りつつリストの更新精度の劣化を抑えるのに好適な放送受信機の提供が望まれている。
【課題を解決するための手段】
【０００７】
本発明の一形態に係る放送受信機は、チャンネルリストを構成する周波数チャネルのチャンネル情報を記憶する記憶手段と、記憶手段に記憶されたチャンネル情報に基づいて所定の表示画面にチャンネルリストを表示する表示制御手段と、受信する周波数チャネルを間欠的に変化させて各周波数チャネルの電界強度を検出する電界強度検出手段と、電界強度検出手段により検出された電界強度に基づいてチャンネルリストを更新する更新手段とを備える。この更新手段は、電界強度検出手段により検出された電界強度に基づいて周波数チャネルの受信が困難か否かを判定し、チャンネルリストを構成するチャンネル情報のうち、受信が困難と判定された連続回数が第１の所定回数に達した周波数チャネルに対応するチャンネル情報の表示をチャンネルリストから消去する。
【０００８】
本発明の一形態によれば、周波数チャネルの受信が第１の所定回数連続して困難と判定されない限り、そのチャンネル情報の表示がチャンネルリストから消去されない。そのため、Station Check コマンドによる周波数チャネルのサーチを行いつつも、例えば放送電波の受信品質が保証されていない環境下で起こり得る突発的なエラーに起因する放送局リストの更新精度の劣化が抑えられる。
【０００９】
また、更新手段は、電界強度検出手段により検出された電界強度に基づいて周波数チャネルからチャンネル情報を取得するのが困難か否かを判定し、チャンネルリストを構成するチャンネル情報のうち、取得が困難と判定された連続回数が第２の所定回数に達した周波数チャネルに対応するチャンネル情報を記憶手段から削除する構成としてもよい。
【００１０】
また、更新手段は、周波数チャネルの受信又はチャンネル情報の取得が困難でないと判定したとき、該周波数チャネルについて、困難と判定された連続回数をリセットしてもよい。
【００１１】
また、放送受信機は、電界強度検出手段により検出された電界強度を記憶する電界強度記憶手段を備えた構成としてもよい。この場合、更新手段は、電界強度検出手段により検出された電界強度に基づいてチャンネルリストにリストするチャンネル情報を決定する。
【００１２】
上記電界強度記憶手段は、更新手段により受信が困難と判定された周波数チャネルの電界強度を所定の値で除算した上で記憶してもよい。この場合、更新手段は、放送局リストにおいて、電界強度記憶手段により記憶された電界強度が高い順にチャンネル情報をソートする。
【００１３】
また、放送受信機は、受信中の周波数チャネルの放送局に対応する代替局をサーチする代替局サーチ手段と、放送局に対応する代替局の数に応じて、電界強度検出手段による電界強度の検出が予定される、該代替局以外の周波数チャネルの数を決定する決定手段とを備える構成としてもよい。この場合、電界強度検出手段は、代替局サーチ手段により受信可能な代替局がサーチされない場合に、決定手段により決定された数の、該代替局以外の周波数チャネルについて、電界強度の検出を行う。また、更新手段は、電界強度検出手段により検出された、代替局以外の周波数チャネルの電界強度に基づいて、チャンネルリストを更新する。
【００１４】
また、放送受信機は、移動体に搭載されたものであってもよい。移動体に搭載される放送受信機には、例えば車載カーナビゲーション装置（ＰＮＤ（Portable Navigation Device）も含む。）や、スマートフォン、フィーチャフォン、携帯ゲーム機等の携帯情報端末が含まれる。
【００１５】
また、本発明の一形態に係る放送局リスト管理方法は、チャンネルリストを構成する周波数チャネルのチャンネル情報を所定の記憶媒体に記憶する記憶ステップと、記憶媒体に記憶されたチャンネル情報に基づいて所定の表示画面にチャンネルリストを表示する表示制御ステップと、受信する周波数チャネルを間欠的に変化させて各周波数チャネルの電界強度を検出する電界強度検出ステップと、電界強度検出ステップにて検出された電界強度に基づいてチャンネルリストを更新する更新ステップであって、該電界強度に基づいて周波数チャネルの受信が困難か否かを判定し、該チャンネルリストを構成するチャンネル情報のうち、受信が困難と判定された連続回数が第１の所定回数に達した周波数チャネルに対応するチャンネル情報の表示をチャンネルリストから消去する更新ステップとを含む方法である。
【００１６】
また、更新ステップにて、電界強度検出ステップにて検出された電界強度に基づいて周波数チャネルからチャンネル情報を取得するのが困難か否かを判定し、チャンネルリストを構成するチャンネル情報のうち、取得が困難と判定された連続回数が第２の所定回数に達した周波数チャネルに対応するチャンネル情報を記憶媒体から削除してもよい。
【発明の効果】
【００１７】
本発明の一形態に係る放送受信機及び放送局リスト管理方法によれば、周波数チャネルの受信が第１の所定回数連続して困難と判定されない限り、そのチャンネル情報の表示がチャンネルリストから消去されない。そのため、Station Check コマンドによる周波数チャネルのサーチを行いつつも、放送電波の受信品質が保証されていない環境下で起こり得る突発的なエラーに起因する放送局リストの更新精度の劣化が抑えられる。
【図面の簡単な説明】
【００１８】
【図１】本発明の実施形態の放送受信機の構成を示すブロック図である。
【図２】本発明の実施形態の放送受信機のディスプレイの表示画面に表示される放送局リスト例を示す図である。
【図３】本発明の実施形態の受信可能局データベースの構造を示す図である。
【図４】本発明の実施形態にて実行される受信可能局データベースの更新処理のフローチャートを示す図である。
【図５】更新後の受信可能局データベースを示す図である。
【図６】更新後の受信可能局データベースを示す図である。
【図７】更新後の受信可能局データベースを示す図である。
【図８】別の実施形態にて実行される受信可能局データベースの更新処理のフローチャートを示す図である。
【発明を実施するための形態】
【００１９】
以下、図面を参照して、本発明の実施形態の放送受信機について説明する。本実施形態の放送受信機は、ＲＤＳ（Radio Data System）方式の多重放送の受信に適したラジオ受信機であるが、別の多重放送方式の受信に適したラジオ受信機やテレビ受像機も本発明の範疇である。
【００２０】
図１は、本発明の実施形態の放送受信機１の構成を示すブロック図である。放送受信機１は、車載型の放送受信機（例えばディスプレイ付オーディオや車載型ナビゲーション装置を構成するもの）であり、一般乗用車等の車両に装備される。車載型ナビゲーション装置には、ＰＮＤも含まれる。放送受信機１は、ＲＤＳ方式による多重放送に適合して設計されており、当該放送方式の信号フォーマットによる放送信号を受信して処理するように構成されている。なお、放送受信機１は、スマートフォン、フィーチャフォン、携帯ゲーム機など、携帯情報端末を構成するものとしてもよい。
【００２１】
図１に示されるように、放送受信機１は、アンテナ１０１、チューナ１０２、ラジオ信号処理回路１０３、オーディオ信号処理回路１０４、パワーアンプ１０５、スピーカ１０６、ＲＤＳ復調器１０７、ＰＬＬ（Phase Locked Loop）回路１０８、マイクロコンピュータ１０９、入力インタフェース１１０、ディスプレイ１１１を備えている。
【００２２】
放送受信機１は、放送電波をアンテナ１０１で受信してチューナ１０２に出力する。チューナ１０２は、マイクロコンピュータ１０９によるＰＬＬ回路１０８を介した制御により、受信電波から選択局のＲＦ（Radio Frequency）信号を抽出する。抽出されたＲＦ信号は、フィルタリング等の信号処理に適した中間周波数に周波数変換される。チューナ１０２は、周波数変換によって得たＩＦ（Intermediate Frequency）信号をラジオ信号処理回路１０３に出力する。
【００２３】
選択局は、例えば入力インタフェース１１０に対するユーザ操作により指定される。選択局の指定情報は、マイクロコンピュータ１０９の内蔵ＲＡＭ（Random Access Memory）に記憶される。マイクロコンピュータ１０９は、例えば放送受信機１の電源投入直後、内蔵ＲＡＭの記憶情報に従ってＰＬＬ回路１０８を介したチューナ１０２の選局動作を制御する。なお、入力インタフェース１１０には、ハードウェア又はソフトウェア若しくはこれらを組み合わせた種々のＵＩ（User Interface）が想定され、具体的には、放送受信機１本体のフロントパネルに実装されたメカニカルスイッチキー、メンブレンキー、タッチパネル環境下で提供されるＧＵＩ（Graphical User Interface）、操作キーが実装されたリモートコントローラ等が挙げられる。
【００２４】
ラジオ信号処理回路１０３は、ＩＦ検波（IF-Detection）回路、ノイズキャンセラ（Noise Canceller）、弱電界処理（Multiplex）回路を有している。ラジオ信号処理回路１０３に入力したＩＦ信号は、ＩＦ検波回路でオーディオ信号に検波後、ノイズキャンセラによってノイズが除去される。オーディオ信号は、弱電界処理回路により、ミュート、ハイカット、セパレーション制御等の選択局の受信状態に応じた処理が施されてオーディオ信号処理回路１０４に出力される。
【００２５】
オーディオ信号処理回路１０４に入力したオーディオ信号は、所定のオーディオ信号処理後、パワーアンプ１０５によるボリュームに応じた利得調節を経てスピーカ１０６から音声として出力再生される。
【００２６】
ラジオ信号処理回路１０３には、例えばＳメータが内蔵されている。Ｓメータは、アナログオーディオ信号復調時の検波電圧の値を所定のサンプリング周期で測定してマイクロコンピュータ１０９に出力する。上記検波電圧値は、受信電波に比例した直流電圧（受信した放送電波の電界強度）である。
【００２７】
ラジオ信号処理回路１０３で検波された信号はＲＤＳ復調器１０７にも出力される。検波信号は、ＲＤＳ復調器１０７による復調処理後、マイクロコンピュータ１０９のＲＤＳ復号器でＲＤＳデータ（ＲＤＳ方式の多重データ）にデコードされて内蔵ＲＡＭ内の受信可能局データベース１０９ＤＢに登録される。ＲＤＳデータは周波数チャネルのチャンネル情報を表すデータであり、ＰＳ（Programme Service）、ＲＴ（Radio Text）、ＡＦ（Alternative Frequencies）リスト、ＰＩ（Programme Identification）コード、ＰＴＹ（Programme Type）、ＴＰ（Traffic Programme）等が含まれている。
【００２８】
マイクロコンピュータ１０９は、受信可能局データベース１０９ＤＢに登録されたＲＤＳデータに基づいて、ＰＳ、ＲＴ、ＰＴＹ等からなる放送局リスト（Station List）を作成してディスプレイ１１１の表示画面に表示すると共に、ＡＦリストやＰＩコードの情報に従ってＰＬＬ回路１０８を介してチューナ１０２の選局動作を制御する。図２は、ディスプレイ１１１の表示画面例を示す。図２の表示画面例では、放送局リスト（Station List）が表示されており、項目として、周波数チャネル、プリセット番号、ＰＴＹ（Rock, Country, Oldies 等）がレイアウトされている。
【００２９】
図３（ａ）は、受信可能局データベース１０９ＤＢ（初期状態、例えば製品出荷時）の構造を示す図である。図３（ａ）に示されるように、受信可能局データベース１０９ＤＢは、各周波数チャネルについて、受信情報（Ｌｅｖｅｌ、ＰＴＹ）及びカウンタ情報（ＲＣ、ＤＤＣ）を格納することができる。Ｌｅｖｅｌ（単位：ｄＢ）は、例えばＳメータにより検出される受信電波の電界強度を示す。ＲＣ（Receivable Counter）は、周波数チャネルのＬｅｖｅｌが所定の第１の閾値以下のときにカウント値がデクリメントされるカウンタである。ＤＤＣ（Data Delete Counter）は、周波数チャネルのＬｅｖｅｌが所定の第２の閾値以下のときにカウント値がデクリメントされるカウンタである。何れのカウンタも０が下限であり、マイナスの値にまではデクリメントされない。本実施形態では、以下に説明するように、ＲＣ、ＤＤＣの各カウンタのカウント値に応じて、放送局リストへの表示又は表示消去と、ＲＤＳデータの削除又は維持とを別個独立に制御する。
【００３０】
初期状態の受信可能局データベース１０９ＤＢは、全ての値が０又はＮｕｌｌである。そのため、マイクロコンピュータ１０９は、放送局リストを作成することができない。従って、図３（ｂ）に示されるように、ディスプレイ１１１の表示画面上の放送局リストには、周波数チャネルもＰＴＹも表示されない。なお、ＲＣ、ＤＤＣの各カウンタをデクリメントするか否かは、周波数チャネルのＬｅｖｅｌだけでなく周波数ズレやＣＮ比、ノイズ等を総合的に考慮して判定してもよい。
【００３１】
［本実施形態の受信可能局データベース１０９ＤＢの更新処理］
図４は、マイクロコンピュータ１０９により実行される受信可能局データベース１０９ＤＢの更新処理のフローチャートを示す。説明の便宜上、本明細書中の説明並びに図面において、処理ステップは「Ｓ」と省略して記す。なお、受信可能局データベース１０９ＤＢは、放送番組の再生処理又は録画処理と並行にStation Check コマンドが実行されたり、ユーザの操作に従って通常のチャンネルサーチ処理が実行されたりした結果、９０．０ＭＨｚ（放送局Ａ）、９０．２ＭＨｚ（放送局Ｂ）、９０．４ＭＨｚ（放送局Ｃ）のＬｅｖｅｌが第１及び第２の閾値（後述）以上あるため、図５（ａ）の状態に更新されているものとする。すなわち、受信可能局データベース１０９ＤＢには、受信状態が良好と判断された３つの周波数チャネルについて、Ｌｅｖｅｌ、ＰＴＹが格納されると共に、ＲＣが第１の規定値（＝３）にセットされ、ＤＤＣが第２の規定値（＝５）にセットされている。このとき、ディスプレイ１１１の表示画面には、３つの周波数チャネル及びＰＴＹをリストした放送局リストが表示される（図５（ｂ）参照）。
【００３２】
〈図４のＳ１（チューニング処理）〉
マイクロコンピュータ１０９は、チューナ１０２を用いてチューニング動作を行う。マイクロコンピュータ１０９は、例えばStation Check コマンドにより、放送番組の再生処理又は録画処理の合間に周波数チャネルの受信状態をチェックする。
【００３３】
〈図４のＳ２（受信判定処理）〉
マイクロコンピュータ１０９は、図４のＳ１の処理（チューニング処理）にてチェックされた周波数チャネルのＬｅｖｅｌが第１の閾値以上あるか否かを判定する。マイクロコンピュータ１０９は、チェックされた周波数チャネルのＬｅｖｅｌが第１の閾値以上の場合（Ｓ２：ＹＥＳ）、当該周波数チャネルの受信が良好であるとして、処理を図４のＳ７（ＲＣのリセット処理）に進める。チェックされた周波数チャネルのＬｅｖｅｌが第１の閾値に満たない場合（Ｓ２：ＮＯ）には、当該周波数チャネルの受信が困難であるとして、処理を図４のＳ３（ＲＣのデクリメント処理）に進める。なお、第１の閾値は、例えばサーチ時やシーク時の有局判定に用いる閾値と同じである。
【００３４】
〈図４のＳ３（ＲＣのデクリメント処理）〉
マイクロコンピュータ１０９は、図４のＳ２の処理（受信判定処理）にて周波数チャネルのＬｅｖｅｌが第１の閾値に満たないと判定されると、当該周波数チャネルのＲＣのカウント値を１デクリメントする。カウント値が既に０の場合は、デクリメントしない。
【００３５】
〈図４のＳ４（Ｌｅｖｅｌの値の除算処理）〉
ここで、放送局リストは、各周波数チャネルのレコードがＬｅｖｅｌの項目に格納されている値の高い順にソートされて、ディスプレイ１１１の表示画面に表示される。また、放送局リストにリスト可能なレコード数は例えば最大で１０である。マイクロコンピュータ１０９は、受信困難とされる周波数チャネルのレコードを積極的に放送局リストの下位にソートし又は放送局リストから除外するため、ＲＣのカウント値が１デクリメントされた周波数チャネルのＬｅｖｅｌの値を１０で除算し、除算して得られた値を格納（上書き保存）する。除算処理に用いる値（ここでは１０）は、電界強度を検出する素子の性能（例えば何ｄＢで飽和するか等）や、サーチ時・シーク時の有局判定に用いる閾値等を総合的に考慮して設定される。
【００３６】
また、図４のＳ２の処理（受信判定処理）においては、周波数チャネルのＬｅｖｅｌに代えて、周波数チャネルのノイズを判定材料として用いてもよい。この場合、放送局リストは、周波数チャネルのＬｅｖｅｌとノイズの両方を加味してソートされることになる。ノイズの情報は、図４のＳ２の処理（受信判定処理）にて用いられるだけであるため、メモリに保存する必要がない。従って、ノイズの情報を記憶するメモリ領域を特に確保する必要がない。
【００３７】
〈図４のＳ５（ＲＣのカウント値の判定処理）〉
マイクロコンピュータ１０９は、ＲＣのカウント値が０か否かを判定する。マイクロコンピュータ１０９は、ＲＣのカウント値が０の場合（Ｓ５：ＹＥＳ）、処理を図４のＳ６（チャンネル情報の表示消去処理）に進める。ＲＣのカウント値が０でない場合（Ｓ５：ＮＯ）には、処理を図４のＳ９（ＤＤＣ設定条件判定処理）に進める。
【００３８】
〈図４のＳ６（チャンネル情報の表示消去処理）〉
ＲＣのカウント値が０にまでデクリメントされた周波数チャネルは、本フローチャートの処理が３回実行され、各回の図４のＳ２の処理（受信判定処理）において（つまり３回連続して）Ｌｅｖｅｌが第１の閾値に満たないと判定されていることから、現在受信が困難な状況にある（ユーザの視聴に耐える状態にない）と確定される。そのため、マイクロコンピュータ１０９は、ＲＣのカウント値が０の周波数チャネルについて、ディスプレイ１１１の表示画面上での放送局リストからその情報（ここでは周波数チャネル及びＰＴＹ等のチャンネル情報）の表示を消去する。次いで、マイクロコンピュータ１０９は、処理を図４のＳ９（ＤＤＣ設定条件判定処理）に進める。
【００３９】
〈図４のＳ７（ＲＣのリセット処理）〉
マイクロコンピュータ１０９は、図４のＳ２の処理（受信判定処理）にて周波数チャネルのＬｅｖｅｌが第１の閾値以上と判定されると、受信状態が良好である（困難でない）から、ＲＣのカウント値を第１の規定値（＝３）にリセットする。
【００４０】
〈図４のＳ８（Ｌｅｖｅｌ格納処理）〉
マイクロコンピュータ１０９は、ＲＣのカウント値が第１の規定値（＝３）にリセットされると、図４のＳ１の処理（チューニング処理）にてチェックされた周波数チャネルのＬｅｖｅｌを格納する。
【００４１】
〈図４のＳ９（ＤＤＣ設定条件判定処理）〉
マイクロコンピュータ１０９は、図４のＳ１の処理（チューニング処理）にてチェックされた周波数チャネルのＬｅｖｅｌが所定の第２の閾値以上あるか否かを判定する。マイクロコンピュータ１０９は、チェックされた周波数チャネルのＬｅｖｅｌが第２の閾値以上の場合（Ｓ９：ＹＥＳ）、ＲＤＳデータを正常にデコードできるとして、処理を図４のＳ１３（ＤＤＣのリセット処理）に進める。チェックされた周波数チャネルのＬｅｖｅｌが第２の閾値に満たない場合（Ｓ９：ＮＯ）には、ＲＤＳデータのデコードが困難であるとして、処理を図４のＳ１０（ＤＤＣのデクリメント処理）に進める。なお、ユーザの視聴に耐える（聴感上許容される）Ｌｅｖｅｌと、ＲＤＳデータのデコードが可能なＬｅｖｅｌは、必ずしも一致しない。本実施形態では、第２の閾値を第１の閾値よりも高い値に設定している。但し、別の実施形態では、第２の閾値を第１の閾値と同じ値に設定してもよく又は低い値に設定してもよい。
【００４２】
〈図４のＳ１０（ＤＤＣのデクリメント処理）〉
マイクロコンピュータ１０９は、図４のＳ２の処理（受信判定処理）にて周波数チャネルのＬｅｖｅｌが第２の閾値に満たないと判定されると、当該周波数チャネルのＤＤＣのカウント値を１デクリメントする。カウント値が既に０の場合は、デクリメントしない。
【００４３】
〈図４のＳ１１（ＤＤＣのカウント値の判定処理）〉
マイクロコンピュータ１０９は、ＤＤＣのカウント値が０か否かを判定する。マイクロコンピュータ１０９は、ＤＤＣのカウント値が０の場合（Ｓ１１：ＹＥＳ）、処理を図４のＳ１２（チャンネル情報の削除処理）に進める。ＤＤＣのカウント値が０でない場合（Ｓ１１：ＮＯ）には、処理中の周波数チャネルについて本フローチャートの処理を終了させ、次の周波数チャネルについて本フローチャートの処理を実行する。
【００４４】
〈図４のＳ１２（チャンネル情報の削除処理）〉
ＤＤＣのカウント値が０にまでデクリメントされた周波数チャネルは、本フローチャートの処理が５回実行され、各回の図４のＳ９の処理において（つまり５回連続して）Ｌｅｖｅｌが第２の閾値に満たないと判定されていることから、ＲＤＳデータのデコードが困難な状況にあると確定される。そのため、マイクロコンピュータ１０９は、現在の受信状態を受信可能局データベース１０９ＤＢに正確に反映させるため、ＤＤＣのカウント値が０の周波数チャネルについて、受信可能局データベース１０９ＤＢに登録されているＲＤＳデータを削除する。次いで、マイクロコンピュータ１０９は、処理中の周波数チャネルについて本フローチャートの処理を終了させ、次の周波数チャネルについて本フローチャートの処理を実行する。
【００４５】
〈図４のＳ１３（ＤＤＣのリセット処理）〉
マイクロコンピュータ１０９は、図４のＳ９の処理（ＤＤＣ設定条件判定処理）にて周波数チャネルのＬｅｖｅｌが第２の閾値以上と判定されると、ＲＤＳデータのデコードが可能であるから、ＤＤＣのカウント値を第２の規定値（＝５）にリセットし、処理中の周波数チャネルについて本フローチャートの処理を終了させ、次の周波数チャネルについて本フローチャートの処理を実行する。
【００４６】
［受信可能局データベース１０９ＤＢの更新例］
図６（ａ）及び図７（ａ）に、図４の更新処理により更新された受信可能局データベース１０９ＤＢを例示する。受信可能局データベース１０９ＤＢは、図５（ａ）に示される内容を基点として、９０．０ＭＨｚ（放送局Ａ）、９０．２ＭＨｚ（放送局Ｂ）、９０．４ＭＨｚ（放送局Ｃ）の各周波数チャネルに対して図４の更新処理が３回実行され、９０．０ＭＨｚ（放送局Ａ）については３回連続でＬｅｖｅｌが第１及び第２の閾値以上であり、９０．２ＭＨｚ（放送局Ｂ）については３回連続でＬｅｖｅｌが第１及び第２の閾値未満であり、９０．４ＭＨｚ（放送局Ｃ）については３回連続でＬｅｖｅｌが第１の閾値以上かつ第２の閾値未満である場合に、図６（ａ）の内容に更新される。図６（ａ）に示されるように、９０．０ＭＨｚ（放送局Ａ）については、ＲＣ、ＤＤＣが共に規定値に維持されており、それぞれ、「３」、「５」となっている。また、９０．２ＭＨｚ（放送局Ｂ）については、ＲＣ、ＤＤＣが共に規定値より３デクリメントされており、それぞれ「０」、「２」となっている。また、９０．４ＭＨｚ（放送局Ｃ）については、ＲＣが規定値に維持されている一方、ＤＤＣが規定値より３デクリメントされており、それぞれ「３」、「２」となっている。
【００４７】
９０．０ＭＨｚ（放送局Ａ）については、ＲＣ、ＤＤＣが共に０でないため、図４のＳ６の処理（チャンネル情報の表示消去処理）及び図４のＳ１２の処理（チャンネル情報の削除処理）が実行されない。つまり、車両の移動に伴って動的に変化する受信環境下において、良好な受信状態が維持されている周波数チャネルについては、放送局リスト上での表示が維持されると共に受信可能局データベース１０９ＤＢからＲＤＳデータが削除されることもない（図６（ｂ）参照）。附言するに、複数回連続して受信状態の劣化が検出されない限り、放送局リスト上での表示消去及びＲＤＳデータの削除を行わないようにすることで、突発的なエラーに起因する放送局リストの更新精度の劣化が抑えられる。
【００４８】
また、９０．２ＭＨｚ（放送局Ｂ）については、ＲＣが０であるため、図４のＳ６の処理（チャンネル情報の表示消去処理）の実行により、放送局リストから表示が消去される。一方、ＤＤＣは０でないため、図４のＳ１２の処理（チャンネル情報の削除処理）が実行されず、受信可能局データベース１０９ＤＢからＲＤＳデータが削除されることはない。つまり、受信が困難な状況にある（ユーザの視聴に耐える状態にない）とされる周波数チャネルについては、放送局リストから消去して選択操作できないようにしつつも、良好な受信状態に復帰する可能性を考慮して、ＲＤＳデータについては保持する（図６（ｂ）参照）。この場合に、放送局リストから表示が消去された周波数チャネルが良好な受信状態に復帰したとき、例えば放送番組の再生処理中又は録画処理中のためにＲＤＳデータを再取得できない状況下にあっても、ＰＴＹ等のチャンネル情報を再び表示させることができる。
【００４９】
また、９０．２ＭＨｚ（放送局Ｂ）については、図４のＳ４の処理（Ｌｅｖｅｌの値の除算処理）の実行により、Ｌｅｖｅｌの項目に格納される値が１／１０に除算される。そのため、９０．２ＭＨｚ（放送局Ｂ）は、放送局リストの最下位にソート（設定によっては放送局リストから除外）される。
【００５０】
また、９０．４ＭＨｚ（放送局Ｃ）については、９０．０ＭＨｚ（放送局Ａ）と同様に、ＲＣ、ＤＤＣが共に０でないため、図４のＳ６の処理（チャンネル情報の表示消去処理）及び図４のＳ１２の処理（チャンネル情報の削除処理）が実行されない。
【００５１】
受信可能局データベース１０９ＤＢは、図６（ａ）に示される内容を基点として、９０．０ＭＨｚ（放送局Ａ）、９０．２ＭＨｚ（放送局Ｂ）、９０．４ＭＨｚ（放送局Ｃ）の各周波数チャネルに対して図４の更新処理が２回実行され、引き続き、９０．０ＭＨｚ（放送局Ａ）については２回連続でＬｅｖｅｌが第１及び第２の閾値以上であり、９０．２ＭＨｚ（放送局Ｂ）については２回連続でＬｅｖｅｌが第１及び第２の閾値未満であり、９０．４ＭＨｚ（放送局Ｃ）については２回連続でＬｅｖｅｌが第１の閾値以上かつ第２の閾値未満である場合に、図７（ａ）の内容に更新される。図７（ａ）に示されるように、９０．０ＭＨｚ（放送局Ａ）については、ＲＣ、ＤＤＣが共に規定値に維持されており、それぞれ、「３」、「５」となっている。また、９０．２ＭＨｚ（放送局Ｂ）については、ＤＤＣが下限値までデクリメントされており、それぞれ「０」、「０」となっている。また、９０．４ＭＨｚ（放送局Ｃ）については、ＲＣが規定値に維持されている一方、ＤＤＣが下限値までデクリメントされており、それぞれ「３」、「０」となっている。
【００５２】
９０．０ＭＨｚ（放送局Ａ）については、図６（ａ）の例と同じである。
【００５３】
また、９０．２ＭＨｚ（放送局Ｂ）については、ＲＣだけでなくＤＤＣも０にまでデクリメントされたため、図４のＳ１２の処理（チャンネル情報の削除処理）も実行される。つまり、受信が困難な状況にあり（ユーザの視聴に耐える状態にない）かつＲＤＳデータがデコードできないとされる周波数チャネルについては、良好な受信状態に復帰する可能性が低いとして、放送局リストから表示が消去されると共にＲＤＳデータが削除される（図７（ｂ）参照）。
【００５４】
また、９０．４ＭＨｚ（放送局Ｃ）については、ＲＣが０でないため、図４のＳ６の処理（チャンネル情報の表示消去処理）が実行されない。一方、ＤＤＣは０であるため、図４のＳ１２の処理（チャンネル情報の削除処理）が実行されて、受信可能局データベース１０９ＤＢからＲＤＳデータが削除される。ＲＤＳデータの削除に伴い、例えば図２の３行目のリストのように、放送局リストからＰＴＹ等のチャンネル情報が消去される。つまり、ユーザの視聴に耐える（聴感上許容される）が、ＲＤＳデータがデコードできないとされる周波数チャネルについては、放送リスト上での表示を残しつつ、現在の受信状態を受信可能局データベース１０９ＤＢに正確に反映させるため、ＲＤＳデータを削除する。
【００５５】
［別の実施形態の受信可能局データベース１０９ＤＢの更新処理］
ＲＤＳ方式に適合して設計された放送受信機は、例えば車両の移動に伴い、現在受信している放送局の放送エリアを外れると（受信状態が劣化すると）、ＲＤＳデータに含まれるＡＦリストを参照して同一の又は関連する番組を放送する放送局（代替局）をサーチし、受信可能な代替局への受信切替を自動的に行う。この代替局サーチは、受信可能な代替局がサーチされるまで継続する。そのため、代替局の受信状態が悪い場合は代替局サーチが終了せず、受信可能局データベース１０９ＤＢに登録された、代替局以外の放送局の周波数チャネルについて図４の更新処理を行うことができない。このような不都合を解消するため、別の実施形態では、代替局サーチと図４の更新処理とを一連の処理で実行する。図８に、かかる処理のフローチャートを示す。
【００５６】
〈図８のＳ１０１（受信状態悪化判定処理）〉
マイクロコンピュータ１０９は、現在受信中の周波数チャネル（例えば電界強度やデコード結果）をモニタリングして、受信状態が悪化したか否かを判定する。マイクロコンピュータ１０９は、受信状態が悪化していないと判定される場合（Ｓ１０１：ＮＯ）、本フローチャートの処理を終了させる。受信状態が悪化したと判定される場合（Ｓ１０１：ＹＥＳ）は、処理を図８のＳ１０２（代替局の設定処理）に進める。
【００５７】
〈図８のＳ１０２（代替局の設定処理）〉
マイクロコンピュータ１０９は、ＲＤＳデータに含まれるＡＦリストに基づいてサーチ対象の代替局を設定する。
【００５８】
〈図８のＳ１０３（代替局に対する更新処理）〉
マイクロコンピュータ１０９は、図８のＳ１０２の処理（代替局の設定処理）にて設定された１つの代替局に対して図４の更新処理を実行する。
【００５９】
〈図８のＳ１０４（代替局の受信判定処理）〉
マイクロコンピュータ１０９は、図８のＳ１０３の処理（設定された代替局に対する更新処理）にて代替局の受信が可能（例えばＬｅｖｅｌが第１の閾値以上）と判定された場合（Ｓ１０４：ＹＥＳ）、処理を図８のＳ１０５（代替局の受信処理）に進める。図８のＳ１０３の処理（設定された代替局に対する更新処理）にて代替局の受信が困難（例えばＬｅｖｅｌが第１の閾値未満）と判定された場合（Ｓ１０４：ＮＯ）は、一定期間待機後、処理を図８のＳ１０６（終了判定処理）に進める。
【００６０】
〈図８のＳ１０５（代替局の受信処理）〉
マイクロコンピュータ１０９は、放送番組の再生処理又は録画処理を行う周波数チャネルを、図８のＳ１０１の処理（受信状態悪化判定処理）にて受信状態が悪化したと判定された周波数チャネルから、受信可能と判定された上記代替局に変更して、本フローチャートの処理を終了させる。
【００６１】
〈図８のＳ１０６（終了判定処理）〉
マイクロコンピュータ１０９は、ＡＦリストに含まれる全ての代替局に対して図８のＳ１０３の処理（設定された代替局に対する更新処理）等を実行したか否かを判定する。マイクロコンピュータ１０９は、全ての代替局に対して図８のＳ１０３の処理（設定された代替局に対する更新処理）等を実行したと判定した場合（Ｓ１０６：ＹＥＳ）、処理を図８のＳ１０７（カウンタの設定処理）に進める。図８のＳ１０３の処理（設定された代替局に対する更新処理）等が未実行の代替局が残存すると判定した場合（Ｓ１０６：ＮＯ）は、処理を図８のＳ１０２（代替局の設定処理）に戻す。
【００６２】
〈図８のＳ１０７（カウンタの設定処理）〉
マイクロコンピュータ１０９は、所定のカウンタのカウント値ＺをＡＦリストに含まれる代替局の数に応じて設定する。カウント値Ｚは、ＡＦリストにリストされた代替局の数が多いほど大きな値に設定される。一例として、カウント値ＺはＡＦリスト内の代替局の数と同じ値に設定される。
【００６３】
〈図８のＳ１０８（カウント値Ｚの判定処理）〉
マイクロコンピュータ１０９は、カウント値Ｚが０か否かを判定する。マイクロコンピュータ１０９は、カウント値Ｚが０の場合（Ｓ１０８：ＹＥＳ）、本フローチャートの処理を終了させる。カウント値Ｚが０でない場合（Ｓ１０８：ＮＯ）は、処理を図８のＳ１０９（周波数チャネルの設定処理）に進める。
【００６４】
〈図８のＳ１０９（周波数チャネルの設定処理）〉
マイクロコンピュータ１０９は、受信可能局データベース１０９ＤＢに登録されている代替局以外の放送局の周波数チャネルの中から、サーチ対象を設定する。
【００６５】
〈図８のＳ１１０（代替局以外の放送局に対する更新処理）〉
マイクロコンピュータ１０９は、図８のＳ１０９の処理（周波数チャネルの設定処理）にて設定された１つの周波数チャネルに対して図４の更新処理を実行する。
【００６６】
〈図８のＳ１１１（カウント値Ｚのデクリメント処理）〉
マイクロコンピュータ１０９は、図８のＳ１１０（代替局以外の放送局に対する更新処理）にて１つの周波数チャネルに対する更新処理が終了すると、カウント値Ｚを１デクリメントして一定期間待機後、処理を図８のＳ１０８（カウント値Ｚの判定処理）に戻す。マイクロコンピュータ１０９は、図８のＳ１０８〜Ｓ１１１の処理をＺ回繰り返すことにより、代替局以外のＺ局数分の周波数チャネルについて受信可能局データベース１０９ＤＢの更新を行うことができる。
【００６７】
別の実施形態によれば、代替局サーチと図４の更新処理とを一連の処理で実行することにより、代替局サーチが終了しないことによって代替局以外の放送局の周波数チャネルの更新処理を行うことができないという不都合が避けられる。また、代替局サーチの実行中は、代替局以外の放送局の周波数チャネルの更新処理を行うことができない。そのため、代替局サーチの直後は、受信可能局データベース１０９ＤＢが現在の受信環境を反映した内容になっていない傾向にあり、代替局サーチの時間が長いほどその傾向が大きく現れる虞がある。そこで、別の実施形態では、代替局数（言い換えると、代替局サーチの時間）に比例した数の、代替局以外の放送局の周波数チャネルについて図４の更新処理を行うことにより、代替局サーチ直後における受信可能局データベース１０９ＤＢの一時的な更新精度の低下を抑えている。
【００６８】
なお、上記においては、全ての代替局に対するサーチの終了後に、代替局以外の放送局の周波数チャネルに対する更新処理を行っているが、変形例では、各代替局に対するサーチと、代替局以外の各放送局の周波数チャネルに対する更新処理とを交互に行ってもよい。
【００６９】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【符号の説明】
【００７０】
１  放送受信機
１０１  アンテナ
１０２  チューナ
１０３  ラジオ信号処理回路
１０４  オーディオ信号処理回路
１０５  パワーアンプ
１０６  スピーカ
１０７  ＲＤＳ復調器
１０８  ＰＬＬ回路
１０９  マイクロコンピュータ
１１０  入力インタフェース
１１１  ディスプレイ
【図１】
2014017667.tif 000003
【図２】
2014017667.tif 000004
【図３】
2014017667.tif 000005
【図４】
2014017667.tif 000006
【図５】
2014017667.tif 000007
【図６】
2014017667.tif 000008
【図７】
2014017667.tif 000009
【図８】
2014017667.tif 000010